(57)【要約】【課題】光のパワーを検出する装置において小型化に伴う受光量の低下を抑制する。【解決手段】検出装置（１０）は、受光面（２１Ａ）で受光した入力光のパワーに応じた電気信号を出力するように構成された受光モジュール（２０）と、外部からの入力光をコリメートして受光面（２１Ａ）に案内するように構成された光学レンズ（４０）と、光学レンズ（４０）と受光面（２１Ａ）との間の入力光の経路に設けられ、受光面（２１Ａ）における入力光のビーム径を低減するように構成された少なくとも一つの集光部（５０）と、を備える。【選択図】図２
2018022841.tif 000002
【特許請求の範囲】
【請求項１】
入力光のパワーを検出するための検出装置であって、
受光面を有し、前記受光面で受光した前記入力光のパワーに応じた電気信号を出力するように構成された受光モジュールと、
外部からの入力光をコリメートして前記受光面に案内するように構成された光学レンズと、
前記光学レンズと前記受光面との間の前記入力光の経路に設けられ、前記受光面における前記入力光のビーム径を低減するように構成された少なくとも一つの集光部と、
を備える検出装置。
【請求項２】
請求項１記載の検出装置であって、
前記少なくとも一つの集光部は、前記光学レンズの前記受光面に対向する面に形成された集光部を含む検出装置。
【請求項３】
請求項２記載の検出装置であって、
前記光学レンズの前記受光面に対向する面に形成された集光部は、前記光学レンズの前記受光面に対向する面に塗布された樹脂製の集光レンズである検出装置。
【請求項４】
請求項１〜請求項３のいずれか一項記載の検出装置であって、
前記少なくとも一つの集光部は、前記光学レンズと前記受光面との間の前記入力光の経路で前記光学レンズ及び前記受光モジュールとは独立して設けられた集光レンズを含む検出装置。
【請求項５】
請求項１〜請求項４のいずれか一項記載の検出装置であって、
前記受光モジュールは、前記受光面を覆う透明な被覆体を有し、
前記少なくとも一つの集光部は、前記被覆体の表面に形成された集光部を含む検出装置。
【請求項６】
請求項５記載の検出装置であって、
前記被覆体の表面に形成された集光部は、前記被覆体の表面に塗布された樹脂製の集光レンズである検出装置。
【請求項７】
請求項６記載の検出装置であって、
前記被覆体の表面上の前記樹脂製の集光レンズは、前記被覆体と同一のポッティング材により構成される検出装置。
【請求項８】
請求項１〜請求項７のいずれか一項記載の検出装置であって、
前記受光面の直径は、１００μｍ以下である検出装置。
【請求項９】
請求項１〜請求項８のいずれか一項記載の検出装置であって、
前記入力光は、光通信信号であり、
前記検出装置は、前記光通信信号が伝送される光伝送路に接続される二本の光ファイバを含む光ファイバピッグテールを備え、
前記光学レンズは、前記二本の光ファイバのうちの一方である入力ファイバの一端からの前記入力光をコリメートし、当該入力光を透過光と反射光とに分離し、前記透過光を前記受光面に案内し、前記反射光を、前記二本の光ファイバのうちの他方である出力ファイバに案内するように構成され、
前記受光モジュールは、前記入力ファイバを通じた前記光伝送路からの入力光であって前記受光面で受光した前記入力光のパワーに応じた電気信号を出力する検出装置。
【請求項１０】
請求項２記載の検出装置であって、
前記光学レンズは、外部からの前記入力光をコリメートし、当該入力光を前記光学レンズの前記受光面に対向する面に設けられた分岐膜で透過光と反射光とに分離し、前記透過光を前記受光面に案内するように構成され、
前記光学レンズの前記受光面に対向する面に形成された集光部は、前記分岐膜に隣接して形成された集光部である検出装置。
【発明の詳細な説明】
【技術分野】
【０００１】
本開示は、光のパワーを検出するための装置に関する。
【背景技術】
【０００２】
光通信ネットワーク内における光通信動作を監視するために、光通信ネットワークには、光パワーモニタが設けられる（例えば特許文献１参照）。光パワーモニタは、例えば光通信デバイスに内蔵されて、光通信信号のパワーを検出し、光通信デバイス内のコントローラに、検出されたパワーの情報を提供する。
【０００３】
光通信ネットワークの一例には、ＷＤＭ（光波長多重通信）ネットワークが含まれる。ＷＤＭネットワークの分岐点には、例えば光通信デバイスとしてＲＯＡＤＭ装置が配置される。ＲＯＡＤＭ装置には、光通信信号を任意の経路に切り替えるための、及び／又は、光通信信号を分岐／挿入するための光スイッチが設けられる。光パワーモニタは、例えば、このＲＯＡＤＭ装置に搭載されて、ＲＯＡＤＭ装置内の光増幅器を制御し最適なパワーで光通信信号を伝送するために利用される。この他、光パワーモニタは、光通信信号を送信／受信する光トランシーバや光トランスポンダ等の光通信デバイスにおいても、光通信信号のパワーを制御及び／又は監視するために利用される。
【先行技術文献】
【特許文献】
【０００４】
【特許文献１】米国特許出願公開第２００３／００２１５３７号公報
【発明の概要】
【発明が解決しようとする課題】
【０００５】
上記光パワーモニタを一例とする検出装置に対しては、小型化のニーズが高い。従って、このようなニーズに答えるために、検出装置には、小型の受光素子を採用することが考えられる。受光面積の小さい小型の受光素子の採用は、暗電流を低減して、パワーの検出精度を向上させることに貢献する。しかしながら、小型の受光素子を用いると、入力光のビーム径に対して受光素子の受光面積が小さいことに起因して、受光素子による入力光の受光量が小さくなり得る。この受光量の減少は、検出精度に悪い影響を与える可能性がある。
【０００６】
そこで、本開示の一側面によれば、小型化に伴う受光量の低下を抑制して、高精度に光のパワーを検出可能な装置を提供できることが望ましい。
【課題を解決するための手段】
【０００７】
本開示の一側面に係る検出装置は、入力光のパワーを検出するための検出装置であって、受光モジュールと、光学レンズと、少なくとも一つの集光部と、を備える。受光モジュールは、受光面を有し、受光面で受光した入力光のパワーに応じた電気信号を出力するように構成される。光学レンズは、外部からの入力光をコリメートして受光面に案内するように構成される。そして、少なくとも一つの集光部は、光学レンズと受光面との間の入力光の経路に設けられ、受光面における入力光のビーム径を低減するように構成される。
【０００８】
この検出装置によれば、集光部が受光面における入力光のビーム径を低減するため、受光モジュールが比較的小さい受光面積を有する場合にも、受光モジュールにおいて入力光の受光量が低下するのを抑えることができ、受光量の低下に伴うパワーの検出精度の低下を抑えることができる。従って、本開示の一側面によれば、小型化に伴う受光量の低下を
抑制して、高精度に光のパワーを検出可能な検出装置を提供することができる。
【０００９】
本開示の一側面によれば、上記少なくとも一つの集光部は、光学レンズの受光面に対向する面に形成された集光部を含むことができる。この集光部は、例えば、光学レンズの受光面に対向する面に塗布された樹脂製の集光レンズであり得る。本開示の一側面によれば、光学レンズは、外部からの入力光をコリメートし、当該入力光を光学レンズの受光面に対向する面に設けられた分岐膜で透過光と反射光とに分離し、透過光を受光面に案内するように構成され得る。この場合、上記少なくとも一つの集光部は、分岐膜に隣接して形成された集光部を含むことができる。
【００１０】
本開示の一側面によれば、上記少なくとも一つの集光部は、光学レンズと受光面との間の入力光の経路で光学レンズ及び受光モジュールとは独立して設けられた集光レンズを含んでいてもよい。
【００１１】
本開示の一側面によれば、受光モジュールは、受光面を覆う透明な被覆体を有し得る。この場合、上記少なくとも一つの集光部は、被覆体の表面に形成された集光部を含み得る。この集光部は、例えば、被覆体の表面に塗布された樹脂製の集光レンズであり得る。この集光部は、例えば、被覆体と同一のポッティング材により構成される集光部であってもよい。
【００１２】
上述した検出装置の構成は、任意サイズの受光面を有する検出装置に適用することができるが、受光面の直径が１００μｍ以下である検出装置に適用されると特に有意義である。
【００１３】
また、小型化のニーズは、光通信信号のパワーを検出する検出装置において特に高い。従って、上述した検出装置の構成は、光通信信号のパワーを検出する検出装置に適用されてもよい。この場合、検出装置は、光通信信号が伝送される光伝送路に接続される二本の光ファイバを含む光ファイバピッグテールを備えた構成にされ得る。光学レンズは、二本の光ファイバのうちの一方である入力ファイバの一端からの入力光をコリメートし、当該入力光を透過光と反射光とに分離し、透過光を受光面に案内し、反射光を、二本の光ファイバのうちの他方である出力ファイバに案内するように構成され得る。受光モジュールは、入力ファイバを通じた光伝送路からの入力光であって受光面で受光した入力光のパワーに応じた電気信号を出力するように構成され得る。
【図面の簡単な説明】
【００１４】
【図１】光検出器を含む光通信デバイスの概略構成を表すブロック図である。
【図２】第一実施形態の光検出器の軸線に沿う断面構造を概略的に表す図である。
【図３】ビーム径と受光割合との関係を表すグラフである。
【図４】第二実施形態の光検出器の軸線に沿う断面構造を概略的に表す図である。
【図５】第三実施形態の光検出器の軸線に沿う断面構造を概略的に表す図である。
【図６】比較例の光検出器の概略構成を表す図である。
【発明を実施するための形態】
【００１５】
以下に、本開示の例示的実施形態を、図面を参照しながら説明する。
［第一実施形態］
図１に示す本実施形態の光通信デバイス１は、光伝送路Ｌに接続されたタップ付き光検出器１０を備える。図１では、単一の光検出器１０を備える光通信デバイス１を示す。しかしながら、光通信デバイス１は、マルチポート通信デバイスであってもよく、ポート毎の光伝送路にそれぞれ光検出器１０を備えた構成にされてもよい。光通信デバイス１は、例えば、光通信ネットワーク上の送信デバイス、受信デバイス、及び、中継デバイスのう
ちの任意のデバイスであり得る。光通信デバイス１は、管理及び／又は監視目的で光通信ネットワークに接続される管理／監視デバイスであってもよい。
【００１６】
光検出器１０は、光伝送路Ｌからの入力光のパワーを検出し、そのパワーに応じた電気信号を検出信号として光通信デバイス１内のコントローラ７０に入力する。入力光は、光通信デバイス１が外部装置から受信した光通信信号、光通信デバイス１が外部装置に送信する光通信信号、及び、光通信デバイス１がＲＯＡＤＭ装置等の中継器である場合の転送信号のうちの任意の信号であり得る。
【００１７】
光検出器１０は、例えば図２に示すように構成される。図２に示す光検出器１０は、ＰＤモジュール２０と、光ファイバピッグテール３０と、ＧＲＩＮレンズ４０と、集光レンズ５０と、これらを保持する筒状ケース６０と、を主に備える。この光検出器１０では、ＰＤモジュール２０、光ファイバピッグテール３０、及び、ＧＲＩＮレンズ４０が筒状ケース６０の軸線に沿って配列される。
【００１８】
ＰＤモジュール２０は、図２に示すように、受光素子としてのフォトダイオード（ＰＤ）チップ２１と、ＰＤチップ２１を支持する円柱状のステム２３と、ＰＤチップ２１を被覆して保護する透明樹脂層２５と、を備える。ステム２３は、ステム２３の表面から裏面に貫通する一対の導電性電極ピン２３Ａ，２３Ｂを備える。
【００１９】
電極ピン２３Ａの先頭部分には、ＰＤチップ２１がマウントされ、電極ピン２３Ｂの先頭部分は、ＰＤチップ２１にワイヤボンド接合される。具体的には、電極ピン２３Ａは、ＰＤチップ２１の裏面に形成されたカソード電極に電気的に接続され、電極ピン２３Ｂは、ＰＤチップ２１の表面に形成されたアノード電極に電気的に接続される。即ち、電極ピン２３Ａ，２３Ｂは、ＰＤチップ２１からの引き出し線として機能し、ＰＤチップ２１への給電線及びＰＤチップ２１からの信号線として機能する。
【００２０】
この電極ピン２３Ａ，２３Ｂは、コントローラ７０に接続される。コントローラ７０は、この電極ピン２３Ａ，２３Ｂを通じてＰＤチップ２１から入力されるパワーの検出信号に基づき、所定の処理を実行する。処理の例には、光増幅器のゲインを調整する処理、及び、パワーの検出値を表示する処理が含まれる。
【００２１】
ＰＤチップ２１は、ＧＲＩＮレンズ４０側を向く表面中央部に、受光面２１Ａを備え、その表面角部に図示しないアノード電極を備え、その裏面に図示しないカソード電極を備える。このＰＤチップ２１は、受光面２１Ａでの受光量（受光パワー）に応じた電気信号を上記検出信号として、ステム２３の電極ピン２３Ａ，２３Ｂを通じてコントローラ７０に入力する。
【００２２】
また、透明樹脂層２５は、ポッティング加工により形成される。即ち、透明樹脂層２５は、ステム２３内の電極ピン２３ＡにＰＤチップ２１がマウントされた状態で、ステム２３及びＰＤチップ２１上にポッティング材が塗布され、硬化されることにより形成される。
【００２３】
この他、光ファイバピッグテール３０は、光伝送路Ｌに接続される二本の光ファイバ３１Ａ，３１Ｂと、光ファイバ３１Ａ，３１Ｂが挿入される二芯キャピラリ３３と、を備える。キャピラリ３３には、その軸心に沿って、光ファイバ３１Ａ，３１Ｂが並列配置される。具体的に、光ファイバ３１Ａ，３１Ｂは、キャピラリ３３の中心から互いに反対方向に僅かに離れて並列配置される。二芯キャピラリ３３には、このように配置される光ファイバ３１Ａ，３１Ｂの一端を支持する。
【００２４】
これらの二本の光ファイバ３１Ａ，３１Ｂの内の一方の光ファイバ３１Ａは、光検出器１０にパワー検出対象の光通信信号を入力するための入力ファイバ３１Ａとして用いられる。他方の光ファイバ３１Ｂは、光通信信号を光伝送路Ｌに戻すための出力ファイバ３１Ｂとして用いられる。
【００２５】
光ファイバ３１Ａ，３１Ｂのキャピラリ３３に支持される端部とは反対側の端部は、図示しないコネクタを通じて光伝送路Ｌに接続される。具体的に、入力ファイバ３１Ａは、光伝送路Ｌの内、光検出器１０よりも伝送方向上流に位置する光伝送路Ｌ１に接続され、出力ファイバ３１Ｂは、光伝送路Ｌの内、光検出器１０よりも伝送方向下流に位置する光伝送路Ｌ２に接続される。
【００２６】
ＧＲＩＮレンズ４０は、キャピラリ３３に対して隣接配置される。キャピラリ３３が支持する入力ファイバ３１Ａからの光は、このように配置されたＧＲＩＮレンズ４０に入力される。ＧＲＩＮレンズ４０は、入力光をコリメートし、そのコリメート光をＰＤモジュール２０側に導くように構成される。
【００２７】
ＧＲＩＮレンズ４０は、ＰＤモジュール２０の受光面２１Ａ側を向く端面に分岐膜４０Ａを有する。分岐膜４０Ａは、ＧＲＩＮレンズ４０の本体を通じて到来する入力ファイバ３１Ａからの光を、透過光と反射光とに分離する。分岐膜４０Ａには、透過光と反射光との光量比が所定比となる分岐膜が選択される。透過光の比率は、入力光に対して例えば１％以下である。
【００２８】
この分岐膜４０Ａを備えることによって、ＧＲＩＮレンズ４０は、入力ファイバ３１Ａからの入力光の一部（透過光）をＰＤモジュール２０の受光面２１Ａに案内する。また、ＧＲＩＮレンズ４０は、分岐膜４０Ａで分離された入力光の反射光成分を、出力ファイバ３１Ｂに案内する。反射光成分は、出力ファイバ３１Ｂに至るＧＲＩＮレンズ４０内の経路で集光されて、出力ファイバ３１Ｂに入力される。
【００２９】
図２において実線で示される矢印Ａ１は、入力ファイバ３１Ａからの入力光の内、受光面２１Ａに伝播する透過光の経路を概略的に示す。図２において示されるメッシュ状のハッチング領域は、受光面２１Ａに伝播する透過光のビーム径を概略的に表す。図２において一点鎖線で示される矢印Ａ２は、分岐膜４０Ａからの反射光の経路を概略的に示す。図２において一点鎖線で示される矢印Ａ３は、反射光の戻り光を示す。反射光の一部は、出力ファイバ３１Ｂを通じて光伝送路Ｌ下流に伝播せず、戻り光として、ＧＲＩＮレンズ４０からＰＤモジュール２０側の空間へと伝播する。
【００３０】
光検出器１０では、この戻り光が受光面２１Ａに到達するのを抑制するために、ＧＲＩＮレンズ４０から一定間隔空けて、ＰＤモジュール２０が配置される。ＰＤモジュール２０とＧＲＩＮレンズ４０とが離れていることにより、ＰＤモジュール２０側では正当な透過光と戻り光との間に一定の距離が設けられる。このため、ＰＤモジュール２０は、正当な透過光を選択的に受光面２１Ａで受光することができる。ここでいう正当な透過光は、戻り光及びその他の迷光ではない意図的に受光面２１Ａに導いた入力光の分岐膜４０Ａからの透過光のことを言う。
【００３１】
付言すると、戻り光やその他の迷光が受光面２１Ａで受光されるのを抑制するために、ＧＲＩＮレンズ４０とＰＤモジュール２０との間には、開口部６５Ａを有するアパーチャ壁６５が任意に設けられる。このアパーチャ壁６５の開口部６５Ａは、透過光の正規光路に対応する位置に設けられ、透過光の正規光路以外から到来する光が受光面２１Ａで受光されるのを抑制する。
【００３２】
集光レンズ５０は、ＧＲＩＮレンズ４０の分岐膜４０Ａ表面に隣接配置されて、ＧＲＩＮレンズ４０から出力される透過光（コリメート光）を集光し、ＰＤモジュール２０の受光面２１Ａに導くように構成される。集光レンズ５０を伝播する透過光は、受光面２１Ａにおけるビーム径が縮小されるように集光されて、受光面２１Ａに入射される。
【００３３】
筒状ケース６０は、上述したＰＤモジュール２０、光ファイバピッグテール３０、ＧＲＩＮレンズ４０、及び、集光レンズ５０を内部に収容して保持するように構成される。筒状ケース６０は、いくつかの部品を組み合わせて構成され得る。例えば、筒状ケース６０は、同一径の筒状部品を軸方向に連結して構成されてもよい。アパーチャ壁６５は、筒状ケース６０の一部として構成され得る。
【００３４】
続いて、集光レンズ５０の機能を説明する。光検出器１０の小型化や暗電流低減のために小さい受光面積のＰＤチップ２１を用いて光検出器１０を構成する場合には、受光面２１Ａでの受光量が小さくなりがちである。ビーム径に対して相対的に受光面２１Ａの小さいＰＤチップ２１によれば、ＧＲＩＮレンズ４０から出力される透過光の受光面２１Ａで受光される割合である受光割合は、かなり小さくなる（図６参照）。
【００３５】
図３に示されるグラフは、ＰＤモジュール２０の受光径が１００μｍである場合の、ビーム径と受光割合との関係を示す。本実施形態によれば、ＰＤモジュール２０は、直径１００μｍの円形の受光面２１Ａを有した構成にされ得る。
【００３６】
このグラフで示されるビーム径は、集光レンズ５０が配置されていない場合のビーム径である。集光レンズ５０を備えない比較例の光検出器１００は、図６に示される。図６における光検出器１００は、集光レンズ５０を備えていないことを除いて、本実施形態の光検出器１０と基本的に同一構成にされる。図６において、図２に示す光検出器１０と同一符号が付された部位は、光検出器１０と同一部位と理解されてもよい。
【００３７】
集光レンズ５０が設けられていない光検出器１００では、図６においてメッシュ状のハッチング領域で概略的に示されるビーム径から理解できるように、受光面２１Ａの径に対して受光面２１Ａに到達する透過光のビーム径が大きくなりがちで、このことに起因して、受光割合が小さいなり易い。
【００３８】
このような小さい受光割合は、パワーの検出精度が低下する可能性、又は、潜在的な検出精度を実現できない可能性を生じさせる。そこで、本実施形態では、凸型の集光レンズ５０により、受光面２１Ａにおけるビーム径を低減するようにした。集光レンズ５０は、受光面２１Ａにおけるビーム径を最小限とするように配置されてもよいが、そのように配置されなくてもよい。受光割合が１００％に到達すれば、それ以上ビーム径を低減する必要はない。受光割合が１００％に到達しなくても、集光レンズ５０の設置によって受光割合が増加すれば、光検出器１０のパワー検出精度は向上する。
【００３９】
付言すると、本実施形態では、集光レンズ５０が装荷されたときに、分岐膜４０Ａでの透過率が目標透過率となるように、分岐膜４０Ａは構成されるべきである。即ち、分岐膜４０Ａ上に集光レンズ５０が装荷される場合には、装荷される前後で界面における屈折率が変わるため、入力光の透過率も変化する。従って、分岐膜４０Ａは、集光レンズ５０が装荷される前後で透過率が変化することを考慮して、集光レンズ５０が装荷されたときに目標透過率が実現されるように設けられる必要がある。
【００４０】
集光レンズ５０は、凸レンズを分岐膜４０Ａに接着することによって設けられてもよいし、受光面２１Ａに対向する分岐膜４０Ａ上に透明樹脂材を塗布することにより透明樹脂製の集光レンズとして形成されてもよい。集光レンズ５０は、他のタイプのレンズであっ
てもよい。
【００４１】
以上には、第一実施形態として、ＧＲＩＮレンズ４０、特に分岐膜４０Ａ上に集光レンズ５０を装荷した光検出器１０の構成を説明したが、集光レンズ５０は、ＧＲＩＮレンズ４０とは独立して設けられてもよい。
【００４２】
［第二実施形態］
第二実施形態の光検出器８０は、図４に示すように、ＧＲＩＮレンズ４０とＰＤモジュール２０との間の空間に、ＧＲＩＮレンズ４０及びＰＤモジュール２０とは離れて独立して設けられた集光レンズ８５を、集光レンズ５０に代えて備える。
【００４３】
この光検出器８０は、集光レンズ５０に代えて、ＧＲＩＮレンズ４０とは独立した集光レンズ８５をＧＲＩＮレンズ４０からの透過光の経路に備える点以外は、第一実施形態の光検出器１０と基本的に同一構成にされる。図４において図２と同一符号が付された部位は、第一実施形態の光検出器１０と基本的に同一構成であると理解されてよい。
【００４４】
図４においてメッシュ状のハッチング領域で示されるように、ＧＲＩＮレンズ４０でコリメートされ、ＧＲＩＮレンズ４０から分岐膜４０Ａを通じて出力される入力ファイバ３１Ａからの入力光は、ＧＲＩＮレンズ４０とは離れて設けられた集光レンズ８５で集光され、受光面２１Ａに案内される。集光レンズ８５は、凸レンズであってもよいし、ボールレンズであってもよいし、他のタイプの集光レンズであってもよい。
【００４５】
本実施形態においても、受光面２１Ａでのビーム径が低減され、受光割合が改善される。従って、光検出器８０のパワー検出精度が向上する。
［第三実施形態］
第三実施形態の光検出器９０は、図５に示すように、透明樹脂層２５の表面に装荷された集光レンズ９５を、集光レンズ５０に代えて備える。
【００４６】
この光検出器９０は、集光レンズ５０に代替する凸状の集光レンズ９５が、ＰＤモジュール２０の透明樹脂層２５に結合されている点以外は、第一実施形態の光検出器１０と基本的に同一構成にされる。図５において図２と同一符号が付された部位は、第一実施形態の光検出器１０と基本的に同一構成であると理解されてよい。
【００４７】
図５においてメッシュ状のハッチング領域及び破線で示されるように、ＧＲＩＮレンズ４０でコリメートされ、ＧＲＩＮレンズ４０から分岐膜４０Ａを通じて出力される入力ファイバ３１Ａからの入力光は、受光面２１Ａに到達する前の経路に設けられた透明樹脂層２５上の集光レンズ９５で集光され、受光面２１Ａに案内される。
【００４８】
本実施形態においても、受光面２１Ａでのビーム径が低減され、受光割合が改善されるので、光検出器９０のパワー検出精度が向上する。
付言すると、集光レンズ９５は、ステム２３及びＰＤチップ２１上にポッティング材を塗布して透明樹脂層２５を形成した後、更に、透明樹脂層２５上に同一のポッティング材を塗布して硬化することにより形成され得る。この場合、集光レンズ９５は、透明樹脂層２５と同一部材の樹脂製の集光レンズとして構成される。但し、集光レンズ９５は、透明樹脂層２５の形成に用いられるポッティング材とは異なるポッティング材（例えば、屈折率の異なるポッティング材）を用いて形成されてもよい。
【００４９】
光検出器９０では、集光レンズ９５に代えて、透明樹脂層２５の近傍にボールレンズが設けられてもよい。ボールレンズは、焦点距離が短く、受光面２１Ａに近い位置での集光に適している。
【００５０】
［その他］
以上に、本開示の例示的実施形態を説明したが、本開示は、上記実施形態に限定されるものではなく、種々の態様を採ることができる。例えば、光検出器１０，８０，９０は、光通信デバイスへの用途に限定されない。ＧＲＩＮレンズ４０は、他のコリメータレンズに置き換えられてもよい。例えば、ＧＲＩＮレンズ４０は、非球面レンズに置き換えられてもよい。
【００５１】
ＰＤモジュール２０は、他のタイプ、例えば、ＴＯ（ＣＡＮ）型のＰＤモジュールであってもよい。独立した集光レンズ８５は、ＧＲＩＮレンズ４０からの透過光の伝播経路において複数設けられてもよい。光検出器１０，８０，９０は、ＧＲＩＮレンズ４０上の集光レンズ５０、ＰＤモジュール２０上の集光レンズ９５、並びに、ＧＲＩＮレンズ４０及びＰＤモジュール２０とは独立した集光レンズ８５の二以上を備えてもよい。本開示の様々な構成は、受光面２１Ａの直径が１００ｍ以下である光検出器において特に有意義である。
【００５２】
上記実施形態における１つの構成要素が有する機能は、複数の構成要素に分散して設けられてもよい。複数の構成要素が有する機能は、１つの構成要素に統合されてもよい。上記実施形態の構成の一部は、省略されてもよい。上記実施形態の構成の少なくとも一部は、他の上記実施形態の構成に対して付加又は置換されてもよい。特許請求の範囲に記載の文言から特定される技術思想に含まれるあらゆる態様が本開示の実施形態である。
【符号の説明】
【００５３】
１…光通信デバイス、１０…光検出器、２０…ＰＤモジュール、２１…ＰＤチップ、２１Ａ…受光面、２３…ステム、２３Ａ，２３Ｂ…電極ピン、２５…透明樹脂層、３０…光ファイバピッグテール、３１Ａ，３１Ｂ…光ファイバ、３３…キャピラリ、４０…ＧＲＩＮレンズ、４０Ａ…分岐膜、５０…集光レンズ、６０…筒状ケース、８０…光検出器、８５…集光レンズ、９０…光検出器、９５…集光レンズ、Ｌ，Ｌ１，Ｌ２…光伝送路。
【図１】
2018022841.tif 000003
【図２】
2018022841.tif 000004
【図３】
2018022841.tif 000005
【図４】
2018022841.tif 000006
【図５】
2018022841.tif 000007
【図６】
2018022841.tif 000008